(57)【要約】  本発明は、公衆陸上移動ネットワークにおける近接サービスの使用を向上させるための方法に関する。上記公衆陸上移動ネットワークはアクセスネットワークを備え、アクセスネットワークは、地理的エリア用の基地送受信局を有し、地理的エリア内の複数のユーザ機器が基地送受信局から制御信号を受信し、複数のユーザ機器は近接サービス対応ユーザ機器であり、ユーザ機器の近接サービス機能がアクティブ化された場合に、近接サービスアクティブ化情報が公衆陸上移動ネットワークに記憶されるか又はそのユーザ機器によって送信され、ユーザ機器の近接サービス機能がアクティブ化された場合に、そのユーザ機器は近接サービス発見信号を放出し、この方法は、以下のステップ、すなわち、基地送受信局が複数のユーザ機器のうちの第１のユーザ機器に関係した第１の近接サービスアクティブ化情報を受信する第１のステップと、基地送受信局が複数のユーザ機器のうちの第２のユーザ機器に関係した第２の近接サービスアクティブ化情報を受信する第２のステップと、近接サービスブロードキャスト情報が基地送受信局から地理的エリア内の複数のユーザ機器に送信される第３のステップと、第１のユーザ機器が第１の近接サービス発見信号の放出を開始するとともに第２のユーザ機器が第２の近接サービス発見信号の放出を開始する第４のステップと、を含む。【選択図】図１
2015520987.tif 000002
【特許請求の範囲】
【請求項１】
公衆陸上移動ネットワーク（１００）における近接サービスの使用を向上させるための方法であって、前記公衆陸上移動ネットワーク（１００）はアクセスネットワーク（１１０）を備え、該アクセスネットワーク（１１０）は、地理的エリア（１０）用の基地送受信局（１１１）を有し、前記地理的エリア（１０）内の複数のユーザ機器（２０）が前記基地送受信局（１１１）から制御信号（２０１、２０２）を受信し、前記複数のユーザ機器（２０）は近接サービス対応ユーザ機器（２０）であり、ユーザ機器（２０）の近接サービス機能がアクティブ化された場合に、近接サービスアクティブ化情報が前記公衆陸上移動ネットワークに記憶されるか又はそのユーザ機器（２０）によって送信され、ユーザ機器（２０）の近接サービス機能がアクティブ化された場合に、そのユーザ機器（２０）は近接サービス発見信号を放出し、該方法は、以下のステップ、すなわち、
前記基地送受信局（１１１）が前記複数のユーザ機器（２０）のうちの第１のユーザ機器（２１）に関係した第１の近接サービスアクティブ化情報（２１０）を受信する第１のステップと、
前記基地送受信局（１１１）が前記複数のユーザ機器（２０）のうちの第２のユーザ機器（２１）に関係した第２の近接サービスアクティブ化情報（２２０）を受信する第２のステップと、
近接サービスブロードキャスト情報（２３０）が前記基地送受信局（１１１）から前記地理的エリア（１０）内の前記複数のユーザ機器（２０）に送信される第３のステップと、
前記第１のユーザ機器（２１）が第１の近接サービス発見信号（２１１）の放出を開始するとともに前記第２のユーザ機器（２２）が第２の近接サービス発見信号（２２１）の放出を開始する第４のステップと、
を含む、公衆陸上移動ネットワークにおける近接サービスの使用を向上させるための方法。
【請求項２】
前記第１の近接サービス発見信号及び前記第２の近接サービス発見信号（２１１、２２１）の前記放出は、前記第１のステップ、前記第２のステップ、及び前記第３のステップの間は防止される、請求項１に記載の方法。
【請求項３】
前記第１の近接サービスアクティブ化情報（２１０）は、以下のもの、すなわち、
前記第１のユーザ機器（２１）の前記ユーザの特別な興味と、
前記第１のユーザ機器（２１）の能力と、
前記第１のユーザ機器（２１）の近接サービスに関係したステータスと、
前記第１のユーザ機器（２１）の現在のロケーションと、
前記第１のユーザ機器（２１）の前記近接サービス機能の最後のアクティブ化の時刻と、
前記第１のユーザ機器（２１）の以前の近接サービスイベントのデータと、
のうちの少なくとも１つに関する表示を含み、
前記第２の近接サービスアクティブ化情報（２２０）は、以下のもの、すなわち、
前記第２のユーザ機器（２２）の前記ユーザの特別な興味と、
前記第２のユーザ機器（２２）の能力と、
前記第２のユーザ機器（２２）の近接サービスに関係したステータスと、
前記第２のユーザ機器（２２）の現在のロケーションと、
前記第２のユーザ機器（２２）の前記近接サービス機能の最後のアクティブ化の時刻と、
前記第２のユーザ機器（２２）の以前の近接サービスイベントのデータと、
のうちの少なくとも１つに関する表示を含む、請求項１又は２に記載の方法。
【請求項４】
前記近接サービスブロードキャスト情報（２３０）は、以下のもの、すなわち、
前記第１のユーザ機器及び／又は前記第２のユーザ機器（２１、２２）の前記ユーザの特別な興味と、
前記第１のユーザ機器及び／又は前記第２のユーザ機器（２１、２２）の能力と、
前記第１のユーザ機器及び／又は前記第２のユーザ機器（２１、２２）の近接サービスに関係したステータスと、
前記第１のユーザ機器及び／又は前記第２のユーザ機器（２１、２２）の現在のロケーションと、
前記第１のユーザ機器及び／又は前記第２のユーザ機器（２１、２２）の前記近接サービス機能の最後のアクティブ化の時刻と、
前記第１のユーザ機器及び／又は前記第２のユーザ機器（２１、２２）の以前の近接サービスイベントのデータと、
ユーザ機器（２０）のユーザの特定の特別な興味に関係した該ユーザ機器の数と、
ユーザ機器（２０）のユーザの特定の特別な興味に関係した該ユーザ機器の現在の平均ロケーションと、
アクティブ化された近接サービス機能に関与しているユーザ機器（２０）の数と、
のうちの少なくとも１つに関する表示を含む、請求項１〜３のいずれか１項に記載の方法。
【請求項５】
公衆陸上移動ネットワーク（１００）のアクセスネットワーク（１１０）の地理的エリア（１０）において用いられるユーザ機器（２０）であって、前記アクセスネットワーク（１１０）は少なくとも１つの基地送受信局（１１１）を備え、該ユーザ機器（２０）は前記基地送受信局（１１１）から制御信号（２０１、２０２）を受信し、該ユーザ機器（２０）は近接サービス対応ユーザ機器（２０）であり、該ユーザ機器（２０）は、該ユーザ機器（２０）の近接サービス機能がアクティブ化された場合に、近接サービスアクティブ化情報が該ユーザ機器（２０）によって前記基地送受信局（１１１）に利用可能にされるように構成され、該ユーザ機器（２０）は、該ユーザ機器（２０）の近接サービス機能がアクティブ化された場合に、該ユーザ機器（２０）が、前記基地送受信局（１１１）からの近接サービスブロードキャスト情報（２３０）の受信に応じて近接サービス発見信号を放出するように構成されている、公衆陸上移動ネットワークのアクセスネットワークの地理的エリアにおいて用いられるユーザ機器。
【請求項６】
ユーザ機器（２０）であって、前記近接サービス発見信号の前記放出は、前記近接サービスブロードキャスト情報（２３０）の前記受信の前に防止される、請求項５に記載のユーザ機器。
【請求項７】
ユーザ機器（２０）であって、前記近接サービスアクティブ化情報は、該ユーザ機器（２０）によって前記公衆陸上移動ネットワーク（１００）又は前記基地送受信局（１１１）に送信される、請求項５又は６に記載のユーザ機器。
【請求項８】
公衆陸上移動ネットワーク（１００）のアクセスネットワーク（１１０）の地理的エリア（１０）における近接サービスの使用を向上させるための基地送受信局（１１１）であって、前記アクセスネットワーク（１１０）は該基地送受信局（１１１）を備え、前記地理的エリア（１０）における複数のユーザ機器（２０）が該基地送受信局（１１１）から制御信号（２０１、２０２）を受信し、前記複数のユーザ機器（２０）は近接サービス対応ユーザ機器（２０）であり、該基地送受信局（１１１）は、ユーザ機器（２０）の近接サービス機能がアクティブ化された場合に、該基地送受信局（１１１）が前記公衆陸上移動ネットワーク（１００）のネットワークエレメント又は前記ユーザ機器（２０）から近接サービスアクティブ化情報を受信するように構成され、該基地送受信局（１１１）は、該基地送受信局（１１１）が、
前記複数のユーザ機器（２０）のうちの第１のユーザ機器（２１）に関係した第１の近接サービスアクティブ化情報（２１０）と、
前記複数のユーザ機器（２０）のうちの第２のユーザ機器（２１）に関係した第２の近接サービスアクティブ化情報（２２０）と、
を受信した場合に、近接サービスブロードキャスト情報（２３０）を前記複数のユーザ機器（２０）にブロードキャストするように構成されている、公衆陸上移動ネットワークのアクセスネットワークの地理的エリアにおける近接サービスの使用を向上させるための基地送受信局。
【請求項９】
前記第１の近接サービスアクティブ化情報（２１０）は、以下のもの、すなわち、
前記第１のユーザ機器（２１）の前記ユーザの特別な興味と、
前記第１のユーザ機器（２１）の能力と、
前記第１のユーザ機器（２１）の近接サービスに関係したステータスと、
前記第１のユーザ機器（２１）の現在のロケーションと、
前記第１のユーザ機器（２１）の前記近接サービス機能の最後のアクティブ化の時刻と、
前記第１のユーザ機器（２１）の以前の近接サービスイベントのデータと、
のうちの少なくとも１つに関する表示を含み、
前記第２の近接サービスアクティブ化情報（２２０）は、以下のもの、すなわち、
前記第２のユーザ機器（２２）の前記ユーザの特別な興味と、
前記第２のユーザ機器（２２）の能力と、
前記第２のユーザ機器（２２）の近接サービスに関係したステータスと、
前記第２のユーザ機器（２２）の現在のロケーションと、
前記第２のユーザ機器（２２）の前記近接サービス機能の最後のアクティブ化の時刻と、
前記第２のユーザ機器（２２）の以前の近接サービスイベントのデータと、
のうちの少なくとも１つに関する表示を含む、請求項８に記載の基地送受信局（１１１）。
【請求項１０】
前記近接サービスブロードキャスト情報（２３０）は、以下のもの、すなわち、
前記第１のユーザ機器及び／又は前記第２のユーザ機器（２１、２２）の前記ユーザの特別な興味と、
前記第１のユーザ機器及び／又は前記第２のユーザ機器（２１、２２）の能力と、
前記第１のユーザ機器及び／又は前記第２のユーザ機器（２１、２２）の近接サービスに関係したステータスと、
前記第１のユーザ機器及び／又は前記第２のユーザ機器（２１、２２）の現在のロケーションと、
前記第１のユーザ機器及び／又は前記第２のユーザ機器（２１、２２）の前記近接サービス機能の最後のアクティブ化の時刻と、
前記第１のユーザ機器及び／又は前記第２のユーザ機器（２１、２２）の以前の近接サービスイベントのデータと、
ユーザ機器（２０）のユーザの特定の特別な興味に関係した該ユーザ機器の数と、
ユーザ機器（２０）のユーザの特定の特別な興味に関係した該ユーザ機器の現在の平均ロケーションと、
アクティブ化された近接サービス機能に関与しているユーザ機器（２０）の数と、
のうちの少なくとも１つに関する表示を含む、請求項８又は９に記載の基地送受信局（１１１）。
【請求項１１】
コンピュータ可読プログラムコードを含むプログラムであって、該コンピュータ可読プログラムコードは、コンピュータ又はユーザ機器（２０）又は基地送受信局（１１１）において実行されると、それぞれの前記コンピュータ又は前記ユーザ機器（２０）又は前記基地送受信局（１１１）に関係した請求項１〜４のいずれか１項に記載の前記ステップを前記コンピュータ又は前記ユーザ機器（２０）又は前記基地送受信局（１１１）に実行させる、コンピュータ可読プログラムコードを含むプログラム。
【請求項１２】
ユーザ機器（２０）を基地送受信局（１１１）とともに用いるためのコンピュータプログラム製品であって、該コンピュータプログラム製品は、記憶媒体に記憶されたコンピュータプログラムを含み、該コンピュータプログラムは、コンピュータ又は前記ユーザ機器（２０）又は前記基地送受信局（１１１）において実行されると、それぞれの前記コンピュータ又は前記ユーザ機器（２０）又は前記基地送受信局（１１１）に関係した請求項１〜４のいずれか１項に記載の前記ステップを前記コンピュータ又は前記ユーザ機器（２０）又は前記基地送受信局（１１１）に実行させるプログラムコードを含む、ユーザ機器を基地送受信局とともに用いるためのコンピュータプログラム製品。
【発明の詳細な説明】
【技術分野】
【０００１】
本発明は、公衆陸上移動ネットワークにおける近接サービスの使用を向上させるための方法に関する。
【０００２】
本発明は、更に、公衆陸上移動ネットワークのアクセスネットワークの地理的エリアにおいて用いられるユーザ機器、及び近接サービスの使用を向上させるための基地送受信局に関する。
【背景技術】
【０００３】
近接サービス、すなわち、移動デバイスの近傍において同じ又は類似の興味を共有するユーザ若しくは顧客又は売り場等を発見するサービスは、そのような移動デバイスを用いる顧客のための将来性のあるサービスである。無線通信ネットワーク、すなわち、公衆陸上移動ネットワークでは、通常、複数の基地局又は基地送受信局が、複数のユーザ機器又は移動デバイスの通信をサポートする。そのようなユーザ機器は、ダウンリンク接続及びアップリンク接続を介して基地送受信局と通信する。ダウンリンク接続は、基地送受信局からユーザ機器への通信リンク（又は方向）を指し、アップリンク接続は、ユーザ機器から基地送受信局への通信リンク（又は方向）を指す。さらに、地理的近傍における他のユーザ機器と直接通信することが更に可能なユーザ機器又は移動デバイスが知られている。これは、デバイスツーデバイス通信又はピアツーピア通信とも呼ばれる。
【０００４】
近接性発見は、今日、様々な無線技術によって達成することができる。これらの方法は、例えば、１０メートル〜５０メートル、好ましくは３０メートルの地理的に近接した他のユーザ又は他の顧客、すなわち、近接サービスに同様に興味がある他のユーザ機器（移動デバイス又は固定して設置されたデバイスのいずれか）を検出することを可能にする、ユーザ機器の信号の連続的な又は中間の無線スキャン及び／又は送信に依拠している。従来の方法（ピアツーピア通信リンクを介して他のユーザ機器と通信することできるようなユーザ機器のための方法）は、近接性発見範囲内において他のユーザ／顧客又はユーザ機器が全く存在しない場合であっても無線スキャン及び送信を必要とするという欠点を有する。このプロセスは、電池式ユーザ機器の電池を激しく消耗させている。なぜならば、送信機は、特に、興味及び／又は近接サービス通信に携わる準備ができているユーザ機器の存在を示すために、情報をブロードキャストするようにスイッチをオンにする必要があるからである。加えて、近接性発見を行うユーザ機器からの無線周波数信号のそのような送信は、そのようなユーザ機器の近傍内において付加的な干渉をもたらす。これは、かなりの欠点であり、当該ユーザ機器だけでなく他のユーザ機器についても双方の移動通信の全体的なサービスレベルを少なくとも潜在的に低減させる。この欠点は、他のユーザ機器若しくは顧客又は共有点が、近接性発見無線信号を放出するユーザ機器の近傍に全く存在しない場合であっても、そのような近接性発見無線周波数信号がユーザ機器によって送信されるという点でより一層重要である。
【発明の概要】
【発明が解決しようとする課題】
【０００５】
本発明の目的は、特に、とりわけ電池式移動デバイスの場合のユーザ機器によるエネルギー消費を削減するために、また、他のユーザ機器又は近接サービス対応デバイスが近傍に存在しない場合にユーザ機器のそのような近接性発見イベントによって引き起こされる干渉問題又は干渉影響を低減するために、近接性発見に関係したユーザ機器の近接性発見イベント及び送信の使用を削減することを可能にする、公衆陸上移動ネットワークにおける近接サービスの使用を向上させるための解決策を提供することである。
【課題を解決するための手段】
【０００６】
本発明の目的は、公衆陸上移動ネットワークにおける近接サービスの使用を向上させるための方法であって、前記公衆陸上移動ネットワークはアクセスネットワークを備え、該アクセスネットワークは、地理的エリア用の基地送受信局を有し、前記地理的エリア内の複数のユーザ機器が前記基地送受信局から制御信号を受信し、前記複数のユーザ機器は近接サービス対応ユーザ機器であり、ユーザ機器の近接サービス機能がアクティブ化された場合に、近接サービスアクティブ化情報が前記公衆陸上移動ネットワークに記憶されるか又はそのユーザ機器によって送信され、ユーザ機器の近接サービス機能がアクティブ化された場合に、そのユーザ機器は近接サービス発見信号を放出し、該方法は、以下のステップ、すなわち、
前記基地送受信局が前記複数のユーザ機器のうちの第１のユーザ機器に関係した第１の近接サービスアクティブ化情報を受信する第１のステップと、
前記基地送受信局が前記複数のユーザ機器のうちの第２のユーザ機器に関係した第２の近接サービスアクティブ化情報を受信する第２のステップと、
近接サービスブロードキャスト情報が前記基地送受信局から前記地理的エリア内の前記複数のユーザ機器に送信される第３のステップと、
前記第１のユーザ機器が第１の近接サービス発見信号の放出を開始するとともに前記第２のユーザ機器が第２の近接サービス発見信号の放出を開始する第４のステップと、
を含む、公衆陸上移動ネットワークにおける近接サービスの使用を向上させるための方法によって達成される。
【０００７】
本発明によれば、近接サービスの使用を試みる（又は近傍における別のユーザ機器への直接通信リンクの確立を試みる）ユーザ機器は、近傍において近接サービスに興味がある他のユーザ機器及び／又は近接サービスに関して同じ興味を有する他のユーザ機器を求めてスキャンするためにいつ無線スキャンを開始するのかの決定と、近傍における他のユーザ機器に向けて自身の存在を通知する無線送信及び／又は近接サービスに関する（追加の）興味を通知する無線送信をいつ開始するのかの決定とを援助される。本発明によれば、公衆陸上移動ネットワーク、特にセルラ移動通信ネットワークの広範囲のカバレッジが、ユーザ機器の送受信機を用いて近傍における近接サービス機能の使用に同様に興味がある他のユーザ機器を発見する、ユーザ機器の近接サービス関連機能と有利に組み合わされる。通常は、近接サービスは、同じ程度に広く一般的な携帯電話のようなデバイス又はユーザ機器によって提供される。本発明によれば、近接サービス機能を用いることに興味があるユーザ機器は、そのような近接サービス機能に同じく興味がある他のユーザ機器又は他の顧客についての情報を、公衆陸上移動ネットワークから、特に、これらのユーザ機器のうちの少なくとも１つがキャンピングしているか又はこれらの機器のうちの少なくとも１つが接続されている基地送受信局から受信する。本発明によれば、公衆陸上移動ネットワークの無線セル等の地理的エリアにおいては、複数のユーザ機器が近接サービスに対応したものであり、これは、複数のユーザ機器が、近接サービス機能がアクティブ化された第１の動作モードと、近接サービス機能が非アクティブ化された第２の動作モードとにおいて動作可能であることを意味する。本発明によれば、第１のユーザ機器（公衆陸上移動ネットワークの基地送受信局に接続されている）が、アクティブ化された近接サービス機能を所与の時点において有する場合、第１のユーザ機器に関係した第１の近接サービスアクティブ化情報が、本発明の方法の第１のステップにおいて基地送受信局に提供される。第２のステップにおいて、基地送受信局は、第２のユーザ機器に関係した第２の近接サービスアクティブ化情報を受信する。これらの第１のステップ及び第２のステップは、第１のユーザ機器及び第２のユーザ機器が近接サービス機能をアクティブ化する（又は近接サービス機能がアクティブ化されている地理的エリアに入る）ときに応じて、或る程度同時とすることもできるし、時間間隔（好ましくは、所定のタイムアウト時間間隔に対応する上限を有する）を空けることもできる。第３のステップにおいて、すなわち、少なくとも第１の近接サービスアクティブ化情報及び第２の近接サービスアクティブ化情報を受信した後（第２の近接サービスアクティブ化情報は、タイムアウト時間間隔を超えるように、第１の近接サービスアクティブ化情報後あまり長くならないうちに受信した後）、近接サービスブロードキャスト情報が基地送受信局から地理的エリア内の複数のユーザ機器に送信されて、少なくとも第１のユーザ機器及び第２のユーザ機器が近接サービス機能をアクティブ化したことを複数のユーザ機器に知らせること等が行われる。本発明による第４のステップにおいて、第１のユーザ機器と第２のユーザ機器との間のデバイスツーデバイス通信リンク又はピアツーピア通信リンクの確立を開始又は試行するために、第１のユーザ機器は、第１の近接サービス発見信号の放出を開始し、第２のユーザ機器は、第２の近接サービス発見信号の放出を開始する。これは、本発明によれば、第１のユーザ機器と第２のユーザ機器との間のピアツーピア通信リンクを確立する優先事項が、
−他のユーザ機器を個々に直接（近接サービス機能をアクティブ化した後即座に）発見し、ピアツーピア通信リンクを直接確立することではなく、
−そのようなユーザ機器が現在アクティブ化された近接サービス機能を有するという情報を公衆陸上移動ネットワークの基地送受信局に最初に通知し、それによって、基地送受信局が、次に、近接サービスブロードキャスト情報を地理的エリア内の複数のユーザ機器にブロードキャストすることによって共通又はプール（pool）の近接サービス発見信号を提供することであることを意味する。それによって、通常ならば多数のユーザ機器が他のユーザ機器との近接サービス接続を確立する無線周波数信号を送信することによって生み出されるマイナスの干渉影響を、本発明によれば、低減することが可能である。近接サービスブロードキャスト情報（第１のユーザ機器の近傍には、近接サービス機能をアクティブ化した別の近接サービス対応ユーザ機器（すなわち、第２のユーザ機器）が存在することを第１のユーザ機器に示すとともに、第２のユーザ機器の近傍には、近接サービス機能をアクティブ化した別の近接サービス対応ユーザ機器（すなわち、第１のユーザ機器）が存在することを第２のユーザ機器に示す）を受信した後、第１のユーザ機器及び第２のユーザ機器は、特に、それぞれのプロファイル情報を照合することによって、近接サービス時機の発見を開始する。本発明によれば、照合機能は、基地送受信局によって全く提供されない。
【０００８】
代替的に、本発明によれば、第３のステップにおいて、近接サービスブロードキャスト情報は、第１の近接サービスアクティブ化情報及び／又は第２の近接サービスアクティブ化情報に応じて、基地送受信局から地理的エリア内の複数のユーザ機器に送信される。
【０００９】
代替的に、本発明によれば、基地送受信局が、第１の近接サービスアクティブ化情報及び／又は第２の近接サービスアクティブ化情報を受信した場合には、第３のステップにおいて、近接サービスブロードキャスト情報は、基地送受信局から地理的エリア内の複数のユーザ機器にブロードキャストされる。好ましくは、近接サービスブロードキャスト情報は、基地送受信局から地理的エリア内の全てのユーザ機器にブロードキャストされる。好ましくは、近接サービスブロードキャスト情報は、基地送受信局から、近接サービス機能をアクティブ化している全てのユーザ機器にブロードキャストされる。
【００１０】
代替的に、本発明によれば、本方法は、基地送受信局においてのみ実行される。
【００１１】
代替的に、本発明によれば、第４のステップにおいて、第１のユーザ機器は、第１の近接サービス発見無線周波数信号の放出を開始し、及び／又は第２のユーザ機器は、第２の近接サービス発見無線周波数信号の放出を開始する。好ましくは、第１の近接サービス発見無線周波数信号及び／又は第２の近接サービス発見無線周波数信号は、第１のユーザ機器及び／又は第２のユーザ機器及び／又は地理的エリア内の複数のユーザ機器のうちの別のユーザ機器間の直接無線通信リンクを確立するために放出される。好ましくは、第５のステップにおいて、無線通信リンクは、第１のユーザ機器と第２のユーザ機器との間に確立される。好ましくは、第５のステップにおいて、デバイスツーデバイス無線通信リンク及び／又はピアツーピア無線通信リンクは、第１のユーザ機器と第２のユーザ機器との間に確立される。
【００１２】
本発明によれば、第１の近接サービスアクティブ化情報及び第２の近接サービスアクティブ化情報、又は一般的には、基地送受信局の無線セル内の任意の近接サービス対応ユーザ機器に関係した近接サービスアクティブ化情報を基地送受信局に提供する２つのメカニズムが存在する。
第１のメカニズムによれば、そのような近接サービス対応ユーザ機器は、公衆陸上移動ネットワーク（特に、ＨＬＲ（ホームロケーションレジスタ）又はＨＳＳ（ホーム加入者サーバ）等の公衆陸上移動ネットワークのコアネットワークのネットワークエンティティ内のプロファイル情報に記憶されている）に、ユーザ機器を近接サービス機能用に動作させることが潜在的に可能であることと、このユーザ機器が更に別のユーザ機器との近接サービス接続の確立を現在試みている（又は近接サービス機能を既にアクティブ化している）場合に、（通常、基地送受信局を介した）公衆陸上移動ネットワークへの対応する表示のみが提供され、公衆陸上移動ネットワークへのそのような表示の受信時に、基地送受信局がそのユーザ機器に関係したそれぞれの近接サービスアクティブ化情報（すなわち、第１のユーザ機器の場合には第１の近接サービスアクティブ化情報及び第２のユーザ機器の場合には第２の近接サービスアクティブ化情報）を受信するようになっていることとを既に示している。
本発明による第２のメカニズムによれば、それぞれの近接サービスアクティブ化情報は、それぞれのユーザ機器から基地送受信局に（通常は、公衆陸上移動ネットワーク（のコアネットワークのネットワークノード）に記憶されていない間に）直接送信される。
双方の場合に又は双方のメカニズムによれば、第１の近接サービスアクティブ化情報及び第２の近接サービスアクティブ化情報は、基地送受信局に送信又は提供される。
【００１３】
本発明の好ましい実施形態によれば、前記第１の近接サービス発見信号及び前記第２の近接サービス発見信号の前記放出は、前記第１のステップ、前記第２のステップ、及び前記第３のステップの間は防止される。
【００１４】
それによって、近傍における他のユーザ機器への近接サービス無線リンクの確立を試みるユーザ機器の電池消耗を容易に低減することが有利に可能である。
【００１５】
本発明の更に好ましい実施形態によれば、前記第１の近接サービスアクティブ化情報は、以下のもの、すなわち、
前記第１のユーザ機器の前記ユーザの特別な興味と、
前記第１のユーザ機器の能力と、
前記第１のユーザ機器の近接サービスに関係したステータスと、
前記第１のユーザ機器の現在のロケーションと、
前記第１のユーザ機器の前記近接サービス機能の最後のアクティブ化の時刻と、
前記第１のユーザ機器の以前の近接サービスイベントのデータと、
のうちの少なくとも１つに関する表示を含み、
前記第２の近接サービスアクティブ化情報は、以下のもの、すなわち、
前記第２のユーザ機器の前記ユーザの特別な興味と、
前記第２のユーザ機器の能力と、
前記第２のユーザ機器の近接サービスに関係したステータスと、
前記第２のユーザ機器の現在のロケーションと、
前記第２のユーザ機器の前記近接サービス機能の最後のアクティブ化の時刻と、
前記第２のユーザ機器の以前の近接サービスイベントのデータと、
のうちの少なくとも１つに関する表示を含む。
【００１６】
それによって、本発明によれば、近接サービス機能に関する第１のユーザ機器及び／又は第２のユーザ機器の一般的な興味を基地送受信局に送信するか又は示すことができることが有利に可能であるが、加えて、第１のユーザ機器及び／又は第２のユーザ機器の近接サービス機能を用いる一般的な意図のほかに、第１のユーザ機器及び／又は第２のユーザ機器の特別な興味及び／又は能力についての表示と、第１のユーザ機器及び／又は第２のユーザ機器の近接サービスに関係したステータスについての表示と、第１のユーザ機器及び／又は第２のユーザ機器の現在のロケーションについての表示と、第１のユーザ機器及び／又は第２のユーザ機器の近接サービス機能の最後のアクティブ化の時刻についての表示と、第１のユーザ機器及び／又は第２のユーザ機器の以前の近接サービスイベントのデータについての表示とを送信することができることも可能である。
【００１７】
本発明の更に別の好ましい実施形態によれば、前記近接サービスブロードキャスト情報は、以下のもの、すなわち、
前記第１のユーザ機器及び／又は前記第２のユーザ機器の前記ユーザの特別な興味と、
前記第１のユーザ機器及び／又は前記第２のユーザ機器の能力と、
前記第１のユーザ機器及び／又は前記第２のユーザ機器の近接サービスに関係したステータスと、
前記第１のユーザ機器及び／又は前記第２のユーザ機器の現在のロケーションと、
前記第１のユーザ機器及び／又は前記第２のユーザ機器の前記近接サービス機能の最後のアクティブ化の時刻と、
前記第１のユーザ機器及び／又は前記第２のユーザ機器の以前の近接サービスイベントのデータと、
ユーザ機器のユーザの特定の特別な興味に関係した該ユーザ機器の数と、
ユーザ機器のユーザの特定の特別な興味に関係した該ユーザ機器の現在の平均ロケーションと、
アクティブ化された近接サービス機能に関与しているユーザ機器の数と、
のうちの少なくとも１つに関する表示を含む。
【００１８】
それによって、本発明によれば、近接サービス機能に現在興味がある少なくとも第１のユーザ機器及び第２のユーザ機器についての一般的な情報を、基地送受信局の無線セル内の潜在的に興味がある全てのユーザ機器に提供することが有利に可能であり、それによって、近接サービス時機を発見するためにそれぞれのユーザ機器によって開始される複数の無線周波数送信が回避され、そのような送信に関連したそれぞれの電池消耗も回避される。
【００１９】
更に、本発明は、公衆陸上移動ネットワークのアクセスネットワークの地理的エリアにおいて用いられるユーザ機器であって、前記アクセスネットワークは少なくとも１つの基地送受信局を備え、該ユーザ機器は前記基地送受信局から制御信号を受信し、前記複数のユーザ機器は近接サービス対応ユーザ機器であり、該ユーザ機器は、該ユーザ機器の近接サービス機能がアクティブ化された場合に、近接サービスアクティブ化情報が前記基地送受信局に利用可能にされるように構成され、該ユーザ機器は、該ユーザ機器の近接サービス機能がアクティブ化された場合に、該ユーザ機器が、前記基地送受信局からの近接サービスブロードキャスト情報の受信に応じて近接サービス発見信号を放出するように構成されている、公衆陸上移動ネットワークのアクセスネットワークの地理的エリアにおいて用いられるユーザ機器に関する。
【００２０】
本発明によれば、不必要な電池消耗及び不必要な干渉問題を回避するために、ユーザ機器は、当該ユーザ機器の近接サービス機能がアクティブ化された場合に、基地送受信局からの近接サービスブロードキャスト情報の受信に応じてのみ近接サービス発見信号を送信する。
【００２１】
本発明によれば、ユーザ機器に関しても、近接サービス発見信号の放出が、近接サービスブロードキャスト情報の受信前に防止されることが更に好ましい。
【００２２】
本発明の更に好ましい実施形態によれば、ユーザ機器に関しても、近接サービスアクティブ化情報が、ユーザ機器によって公衆陸上移動ネットワーク又は基地送受信局に送信されることが好ましい。
【００２３】
更に、本発明は、公衆陸上移動ネットワークのアクセスネットワークの地理的エリアにおける近接サービスの使用を向上させるための基地送受信局であって、前記アクセスネットワークは該基地送受信局を備え、前記地理的エリアにおける複数のユーザ機器が該基地送受信局から制御信号を受信し、前記複数のユーザ機器は近接サービス対応ユーザ機器であり、該基地送受信局は、ユーザ機器の近接サービス機能がアクティブ化された場合に、該基地送受信局が前記公衆陸上移動ネットワークのネットワークエレメント又は前記ユーザ機器から近接サービスアクティブ化情報を受信するように構成され、該基地送受信局は、該基地送受信局が、
前記複数のユーザ機器のうちの第１のユーザ機器に関係した第１の近接サービスアクティブ化情報と、
前記複数のユーザ機器のうちの第２のユーザ機器に関係した第２の近接サービスアクティブ化情報と、
を受信した場合に、近接サービスブロードキャスト情報を前記複数のユーザ機器にブロードキャストするように構成されている、公衆陸上移動ネットワークのアクセスネットワークの地理的エリアにおける近接サービスの使用を向上させるための基地送受信局に関する。
【００２４】
本発明によれば、基地送受信局は、ユーザ機器の近接サービス機能がアクティブ化された場合に、近接サービスアクティブ化情報をそのユーザ機器から直接受信するか又は公衆陸上移動ネットワークのネットワークエレメント（通常、ユーザ機器に関係した近接サービス機能に関するプロファイル情報を提供する公衆陸上移動ネットワークのコアネットワーク内に位置している）から受信し、基地送受信局が少なくとも第１のユーザ機器及び第２のユーザ機器用のそれぞれの近接サービスアクティブ化情報を受信した場合に、近接サービスブロードキャスト情報を複数のユーザ機器にブロードキャストする。
【００２５】
本発明によれば、基地送受信局に関しても、前記第１の近接サービスアクティブ化情報は、以下のもの、すなわち、
前記第１のユーザ機器の前記ユーザの特別な興味と、
前記第１のユーザ機器の能力と、
前記第１のユーザ機器の近接サービスに関係したステータスと、
前記第１のユーザ機器の現在のロケーションと、
前記第１のユーザ機器の前記近接サービス機能の最後のアクティブ化の時刻と、
前記第１のユーザ機器の以前の近接サービスイベントのデータと、
のうちの少なくとも１つに関する表示を含み、
前記第２の近接サービスアクティブ化情報は、以下のもの、すなわち、
前記第２のユーザ機器の前記ユーザの特別な興味と、
前記第２のユーザ機器の能力と、
前記第２のユーザ機器の近接サービスに関係したステータスと、
前記第２のユーザ機器の現在のロケーションと、
前記第２のユーザ機器の前記近接サービス機能の最後のアクティブ化の時刻と、
前記第２のユーザ機器の以前の近接サービスイベントのデータと、
のうちの少なくとも１つに関する表示を含むことが更に好ましい。
【００２６】
本発明の更に好ましい実施形態によれば、基地送受信局に関しても、前記近接サービスブロードキャスト情報は、以下のもの、すなわち、
前記第１のユーザ機器及び／又は前記第２のユーザ機器の前記ユーザの特別な興味と、
前記第１のユーザ機器及び／又は前記第２のユーザ機器の能力と、
前記第１のユーザ機器及び／又は前記第２のユーザ機器の近接サービスに関係したステータスと、
前記第１のユーザ機器及び／又は前記第２のユーザ機器の現在のロケーションと、
前記第１のユーザ機器及び／又は前記第２のユーザ機器の前記近接サービス機能の最後のアクティブ化の時刻と、
前記第１のユーザ機器及び／又は前記第２のユーザ機器の以前の近接サービスイベントのデータと、
ユーザ機器のユーザの特定の特別な興味に関係した該ユーザ機器の数と、
ユーザ機器のユーザの特定の特別な興味に関係した該ユーザ機器の現在の平均ロケーションと、
アクティブ化された近接サービス機能に関与しているユーザ機器の数と、
のうちの少なくとも１つに関する表示を含むことが好ましい。
【００２７】
加えて、本発明は、コンピュータ又はユーザ機器又は基地送受信局において実行されると、当該コンピュータ又は当該ユーザ機器又は当該基地送受信局に本発明の方法を実行させるコンピュータ可読プログラムコードを含むプログラムに関する。
【００２８】
更に加えて、本発明は、ユーザ機器を基地送受信局とともに用いるためのコンピュータプログラム製品であって、記憶媒体に記憶されたコンピュータプログラムを含み、このコンピュータプログラムは、コンピュータ又はユーザ機器又は基地送受信局において実行されると当該コンピュータ又は当該ユーザ機器又は当該基地送受信局に本発明の方法を実行させるコンピュータプログラムコードを含む、コンピュータプログラム製品に関する。
【００２９】
本発明のこれらの特性、特徴、及び利点、並びに他の特性、特徴、及び利点は、添付図面とともに用いられた以下の詳細な説明から明らかになる。これらの添付図面は、本発明の原理を例として示している。説明は、本発明の範囲を限定するものではなく、例示のためにのみ与えられている。以下で引用される参照図は、添付図面を指す。
【図面の簡単な説明】
【００３０】
【図１】コアネットワーク及びアクセスネットワーク並びに複数のユーザ機器を備える公衆陸上移動ネットワークの地理的エリアを概略的に示す図である。
【図２】本発明による基地送受信局とユーザ機器との間の概略的な通信図である。
【発明を実施するための形態】
【００３１】
本発明は、特定の実施形態に関して或る特定の図面を参照して説明されるが、本発明は、これらの実施形態及び図面に限定されるものではなく、特許請求の範囲によってのみ限定される。説明する図面は、概略的なものにすぎず、非限定的である。図面において、要素のうちの幾つかのもののサイズは、誇張されている場合があり、例示の目的で一律の縮尺で描かれていない場合がある。
【００３２】
数量が特定されていない名詞は、特に別段の指定がない限り、その名詞の単数及び複数を含む。
【００３３】
さらに、本明細書及び特許請求の範囲における第１、第２、第３等の用語は、同様の要素を区別するために用いられており、必ずしも、連続した順序又は時間順を説明するために用いられているとは限らない。そのように用いられる用語は、適切な状況下では交換可能であり、本明細書において説明する本発明の実施形態は、本明細書において説明又は図示するもの以外の順序で動作することができることが理解されるべきである。
【００３４】
図１には、公衆陸上移動ネットワーク１００の地理的エリア１０（及び更に別の地理的エリア１１）が概略的に示されている。公衆陸上移動ネットワーク１００は、アクセスネットワーク１１０及びコアネットワーク１２０を備える。地理的エリア１０には、地理的エリア１０用の基地送受信局１１１によってサービングされた無線セルにキャンピングしている複数のユーザ機器２０が位置している。更に別の地理的エリア１１は、更に別の基地送受信局１１２によってサービングされ、同じく複数のユーザ機器２０を含む。ユーザ機器２０のうち少なくとも一部分は、近接サービス対応ユーザ機器であるユーザ機器である。すなわち、そのようなユーザ機器は、近接サービス機能がアクティブ化された第１の動作モードと、近接サービス機能が非アクティブ化された第２の動作モードとにおいて動作可能である。図１に示す例では、第１のユーザ機器２１及び第２のユーザ機器２２が近接サービス対応したものである。本発明によれば、これは、（第１の）近接サービスアクティブ化情報が公衆陸上移動ネットワーク１００に記憶される（そして、基地送受信局１１１に提供される）か、又はそれぞれのユーザ機器２０によって基地送受信局１１１に送信されることを意味する。これは、基地送受信局が、第１のユーザ機器２１に関係した第１の近接サービスアクティブ化情報を第１のユーザ機器２１から直接受信するか又は公衆陸上移動ネットワーク１００のコアネットワーク１２０のエンティティから受信し、第２のユーザ機器２２に関係した第２の近接サービスアクティブ化情報も同様に受信することを意味する。少なくとも第１の近接サービスアクティブ化情報及び第２の近接サービスアクティブ化情報が基地送受信局１１１によって受信されると、基地送受信局１１１は、ユーザ機器２０、特に第１のユーザ機器２１及び第２のユーザ機器２２が、近接サービス機能の使用に現在興味がある他のユーザ機器が存在することを知ることを可能にする近接サービスブロードキャスト情報を地理的エリア１０内の複数のユーザ機器２０にブロードキャストする。本発明によれば、基地送受信局１１１からのそのような近接サービスブロードキャスト情報の受信後にのみ、第１のユーザ機器２１及び第２のユーザ機器２２は、それぞれの近接サービス発見信号（すなわち、第１のユーズ機器による第１の近接サービス発見信号及び第２のユーザ機器による第２の近接サービス発見信号）の送信を開始する。
【００３５】
コアネットワーク１２０は、クラウド表現によって概略的にしか示されていない。公衆陸上移動ネットワーク１００（特に、コアネットワーク１２０）は、通常、近接サービスアクティブ化情報が公衆陸上移動ネットワークに記憶されているとともにそれぞれのユーザ機器から基地送受信局に直接送信されない場合には、そのような情報を記憶するＨＬＲ（ホームロケーションレジスタ）及びＨＳＳ（ホーム加入者サーバ）等の様々なネットワークエレメントを備える。
【００３６】
図２には、基地送受信局１１１、コアネットワーク１２０、並びに第１のユーザ機器２１及び第２のユーザ機器２２間の通信図が概略的に示されている。基地送受信局１１１から当該基地送受信局１１１の無線セル内の全てのユーザ機器２０に送信される、すなわち、第１のユーザ機器２１及び第２のユーザ機器２２にも送信される第１の制御信号２０１によって、第１のユーザ機器２１及び第２のユーザ機器２２は、基地送受信局１１１の無線セル（又は地理的エリア１０）にキャンピングするようにサービングされる。本発明による第１のステップに従って、基地送受信局１１１は、第１のユーザ機器２１に関係した第１の近接サービスアクティブ化情報を受信し、第２のステップに従って、第２のユーザ機器２２に関係した第２の近接サービスアクティブ化情報を受信する。そのような近接サービスアクティブ化情報は、ユーザ機器から直接送信することもできるし（図２に破線によって示す）、現在、近接サービス機能がアクティブ化されているはずであるとのそれぞれのユーザ機器２１、２２の表示と、コアネットワーク１２０から基地送受信局１１１に送信される対応するプロファイル情報とに基づいて、コアネットワーク１２０から送信することもできる。本発明による第３のステップにおいて、特に、基地送受信局のブロードキャストチャネル上で送信される第２の制御信号２０２によって、近接サービスブロードキャスト情報２３０は、基地送受信局１１１から地理的エリア１０内の複数のユーザ機器２０に送信され、すなわち、第１のユーザ機器２１及び第２のユーザ機器２２にも送信される。第１のユーザ機器２１及び第２のユーザ機器２２が、近接サービス発見信号、すなわち、第１のユーザ機器２１による第１の近接サービス発見信号２１１及び第２のユーザ機器２２による第２の近接サービス発見信号２２１の送信を開始するのは、この近接サービスブロードキャスト情報２３０を受信したときのみである。それによって、本発明によれば、第１のステップ、第２のステップ、及び第３のステップ（及び試みが成功しなかった場合に繰り返されるステップ）の間のそのような第１の近接サービス発見信号２１１及び第２の近接サービス発見信号２２１の送信を防止することが有利に可能である。次に、第１のユーザ機器２１及び第２のユーザ機器２２は、自身の対応する近接サービス機能の照合、すなわち、自身の近接プロファイルの照合を開始し、さらに、第１のユーザ機器２１及び第２のユーザ機器２２は、無線周波数信号を介して自身の存在を送信するために自身の送受信機のアクティブ化を開始することができる。本発明によれば、照合機能は、基地送受信局１１１によって提供されない。
【図１】
2015520987.tif 000003
【図２】
2015520987.tif 000004
【国際調査報告】
2015520987.tif 000005
2015520987.tif 000006
2015520987.tif 000007